(57)【要約】 【課題】  より外観品質を向上させることができ斬新な形態を備えたイヤリングを提供することにある。【解決手段】  耳に装着するイヤリングであって、軸状本体部と、上記軸状本体部の一端部に本体部に直交するように装着された押圧固定部と、上記本体部の他端部に軸方向に沿って回動可能に接合され、上記押圧固定部と共に耳たぶを圧接する圧接部を有し、上記圧接部は、基端部には回動軸部を備え、上記本体部の他端部に回動可能に軸着される回動アーム部と、先端部には耳たぶ押圧面部を有し、上記回動アーム部の幅寸法は、軸状本体部の幅寸法の１／２以下に形成されている。【選択図】  図１
0003180724.tif 000002
【実用新案登録請求の範囲】
【請求項１】
耳に装着するイヤリングであって、軸状本体部と、上記軸状本体部の一端部に本体部に直交するように装着された押圧固定部と、上記軸状本体部の他端部に軸方向に沿って回動可能に接合され、上記押圧固定部と共に耳たぶを圧接する圧接部を有し、上記圧接部は、基端部には回動軸部を備え、上記軸状本体部の他端部に回動可能に軸着される回動アーム部と、先端部には耳たぶ押圧面部を有し、上記回動アーム部の幅寸法は、軸状本体部の幅寸法の１／２以下に形成されていることを特徴とするイヤリング。
【請求項２】
上記軸状本体部は、上記回動軸部を内部に収納配置しうる筒状部を有し、上記筒状部は、底面部と、上記底面部の幅方向において対向して形成された一対の側面部と、上記底面部に対向して形成された上面部とを備え、上記一対の側面部には回動軸部が係合する孔部が開設され、
上記回動軸部は、アーム本体部と、上記アーム本体部が一体に形成されると共に、上記底面部、一対の側面部及び上面部により筒状部の端部に形成される開口部を被覆しうる被覆部を備えていることを特徴とする請求項１記載のイヤリング。
【請求項３】
上記押圧固定部は、ネジアーム本体部と、上記ネジアーム本体部の一端部に形成されたつまみ部と、上記ネジ軸の他端部に形成された押圧板とを有することを特徴とする請求項１記載のイヤリング。
【請求項４】
上記回動アーム部は全体略Ｊ字状に形成されていることを特徴とする請求項  １記載のイヤリング。
【考案の詳細な説明】
【技術分野】
【０００１】
本考案は、イヤリングの改良に関する。
【背景技術】
【０００２】
従来より、装飾品としてイヤリングが使用されている。このようなイヤリングとして本件出願人は、図３に示すようなものを提案している。
【０００３】
このような従来のイヤリング３０は、軸状本体部３１と、上記軸状本体部３１の一端部に本体部に直交するように装着された押圧固定部３２と、上記軸状本体部３１の他端部に軸方向に沿って回動可能に接合され、上記押圧固定部３２と共に耳たぶを圧接する圧接部３３を有している。上記圧接部３３は、基端部には回動軸部３４を備え、上記軸状本体部３１の他端部に回動可能に軸着される回動アーム部３５と、先端部には耳たぶ押圧面部３６を有している。
上記回動アーム部３５は全体略Ｊ字状に形成され、湾曲部が耳たぶの下端部の外方に配置されるように構成されている（特許文献１）。
【０００４】
しかしながら、このような従来のイヤリング３０にあっては、回動軸部３４と回動アーム部３５の幅寸法は略同一に形成されていたことから、装着時に耳の外方に配置される回動アーム部３５の幅寸法が軸状本体部３１に比して比較的太くなる。
その結果、他人から最も目につき、イヤリング３０としての中心的な装飾部位となる回動アーム部３５が形状として優美ではないことから外観品質が良好ではなく、斬新性に乏しいものであった。
【特許文献１】実願２０１１−３８７０号公報
【考案の開示】
【考案が解決しようとする課題】
【０００５】
本考案はこのような従来からの不具合を解決するためのものであって、その課題は、より外観品質を向上させることができ斬新な形態を備えたイヤリングを提供することにある。
【課題を解決するための手段】
【０００６】
上記課題達成のため、請求項１記載の考案にあっては、耳に装着するイヤリングであって、軸状本体部と、上記軸状本体部の一端部に本体部に直交するように装着された押圧固定部と、上記本体部の他端部に軸方向に沿って回動可能に接合され、上記押圧固定部と共に耳たぶを圧接する圧接部を有し、上記圧接部は、基端部には回動軸部を備え、上記本体部の他端部に回動可能に軸着される回動アーム部と、先端部には耳たぶ押圧面部を有し、上記回動アーム部の幅寸法は、軸状本体部の幅寸法の１／２以下に形成されていることを特徴とする。
【０００７】
請求項２記載の考案にあっては、上記軸状本体部は、上記回動軸部を内部に収納配置しうる筒状部を有し、上記筒状部は、底面部と、上記底面部の幅方向において対向して形成された一対の側面部と、上記底面部に対向して形成された上面部とを備え、上記一対の側面部には回動軸部が係合する孔部が開設され、
上記回動軸部は、アーム本体部と、上記アーム本体部が一体に形成されると共に、上記底面部、一対の側面部及び上面部により筒状部の端部に形成される開口部を被覆しうる被覆部を備えていることを特徴とする。
【０００８】
請求項３記載の考案にあっては、上記押圧固定部は、ネジアーム本体部と、上記ネジアーム本体部の一端部に形成されたつまみ部と、上記ネジ軸の他端部に形成された押圧板とを有することを特徴とする。
【０００９】
請求項４記載の考案にあっては、上記回動アーム部は全体略Ｊ字状に形成されていることを特徴とする。
【考案の効果】
【００１０】
請求項１記載の考案に係る考案にあっては、上記回動アーム部の幅寸法は、軸状本体部の幅寸法の１／２以下に形成されていることから、上記回動アーム部の幅寸法の小ささが明確に判り、イヤリングとしての繊細なデザイン性をアピールできることから、製品の外観品質を向上させることができ、イヤリングとしての斬新性を向上することができる。
また、装着時には、イヤリングとして最も外部へ露出する回動アーム部が繊細な形状となっていることから、使用者は装着時には良好な装着感を持つことができる。
【００１１】
請求項２記載の考案にあっては、上記軸状本体部は、上記回動軸部を内部に収納配置しうる筒状部を有し、上記筒状部は、底面部と、上記底面部の幅方向において対向して形成された一対の側面部と、上記底面部に対向して形成された上面部とを備え、上記一対の側面部には回動軸部が係合する孔部が開設され、
上記回動軸部は、アーム本体部と、上記アーム本体部が一体に形成されると共に、上記底面部、一対の側面部及び上面部により筒状部の端部に形成される開口部を被覆しうる被覆部を備えていることから、従来とは異なり、回動軸部そのものを筒状部内に収納して外部からは見えないように配設することができるため、請求項１記載の考案の効果に加えて、さらに、製品の外観品質を向上することができる。
【００１２】
また、回動アーム部の回動軸部は、アーム本体部と、上記アーム本体部が一体に形成されると共に、上記底面部、一対の側面部及び上面部により筒状部の端部に形成される開口部を被覆しうる被覆部を備えていることから、イヤリング全体としての形態の完成度を高め、より外観品質を向上させることができる。
【００１３】
請求項３及び４記載の考案にあっては、請求項１及び２記載の考案を前提として、耳に装着しやすいイヤリングを提供することができる。
【図面の簡単な説明】
【００１４】
【図１】本考案に係るイヤリングの一実施の形態を示す斜視図であって、回動アーム部が閉じた状態を示す図である。
【図２】本考案に係るイヤリングの一実施の形態を示す斜視図であって、回動アームが開放されている状態を示す斜視図である。
【図３】従来のイヤリングを示す斜視図である。
【考案を実施するための最良の形態】
【００１５】
以下、添付図面に示す実施の形態に基づき、本考案を詳細に説明する。
図１に示すように、本実施の形態に係るイヤリング１０は、軸状本体部１１と、上記軸状本体部１１の一端部に本体部に直交するように装着された押圧固定部１２と、上記軸状本体部１１の他端部に軸方向に沿って回動可能に接合され、上記押圧固定部１２と共に耳たぶを圧接把持する圧接部１３とを有している。
上記圧接部１３は、基端部には回動軸部１４を有し、上記軸状本体部１１の他端部に回動可能に軸着される回動アーム部１９とを備えている。
【００１６】
上記軸状本体部１１は、上記回動軸部１４を内部に収納配置しうる筒状部１５を有している。この筒状部１５は全体略三角柱状の箱型に形成されおり、底面部１６と、上記底面部１６の幅方向において対向して形成された一対の側面部１７、１７と、上記底面部１６に対向して形成された上面部（図示せず）とを備えている。
【００１７】
上記一対の側面部１７、１７には回動アーム部１９の回動軸部１４が係合する孔部１８、１８が開設されている。回動アーム部１９は、全体略Ｊ字状に形成され、上記軸状本体部１１の他端部に上記回動軸部１４により軸着されており、アーム本体部２０と、上記アーム本体部２０が一体に形成されると共に、上記底面部１６、一対の側面部１７、１７及び上面部１８により筒状部１５の外方端部に形成される開口部２１を被覆しうる、上記アーム本体部２０よりも大きな幅寸法に形成された被覆部２２を備えている。
【００１８】
また、回動アーム部１９は、先端部には、平面円盤状に形成された耳たぶ押圧面２３部を有している。そして、上記回動アーム部１９を構成するアーム本体部２０の幅寸法Ｌは、軸状本体部１１の幅寸法の１／２以下、本実施の形態にあっては、１／３の幅寸法に形成されている。
【００１９】
上記軸状本体部１１の筒状部１５内には、回動アーム部１９の回動軸部１４を常時、閉止方向に付勢するスプリング（図示せず）が付勢手段として内装されている。図１に示すように、回動アーム部１９を閉止した場合には、アーム本体部２０は軸状本体部１１と略平行になるように配置されるように構成さ  れている。
また、軸状本体部１１の反孔部１８側の端部は筒状部１５の厚さ方向に開口する取付部２７が形成され、取付部２７に押圧固定部１２が設けられている。
上記押圧固定部１２は、上記取付部２７を幅方向に貫通して設けられたネジ軸部２４と、上記ネジ軸部２４の一端部に形成された円盤状のつまみ部２５と、上記ネジ軸部２４の他端部に形成された、円盤状の押圧板２６とを有している。
【００２０】
以下、本実施の形態に係るイヤリング１０の使用方法について説明する。本実施の形態に係るイヤリング１０を耳に装着する場合には、図２に示すように、回動アーム部１９を拡開状態にしておき、押圧固定部１２が耳たぶの内方に位置するように配置しておき、この状態で回動アーム部１９を、スプリングの付勢力を利用して回動アーム部１９を閉じて耳たぶの外方側に当接させる。
その後、この状態でつまみ部２５を操作してネジ軸部２４を回動させて押圧板２６を耳たぶに圧接させることにより、耳たぶを内外両側から把持し、耳たぶ押圧面部２３及び押圧板２６とにより外方及び内方から耳たぶを挟持する。
【００２１】
この場合、図１に示すように、上記のように、回動アーム部１９の基端部には筒状部１５の端部に形成される開口部２１を被覆しうる幅広の被覆部２２が形成されていることから、筒状部１５の開口部２１を被覆部２２が被覆することから開口部２１が外方へ露出することがなく、イヤリングとしての見栄えが良い。
【００２２】
また、装着時には回動アーム部１９が外方から見えるが、回動アーム１９は軸状本体部１１よりも非常に細く形成されていることから、回動アーム部１９の繊細なデザイン性が強調され、イヤリングとしての外観品質を大きく向上させることができる。
【００２３】
なお、軸状本体部１１の具体的構成に関しては本実施の形態に限定されない。  
【産業上の利用可能性】
【００２４】
本考案は広くイヤリングに適用することができるため、産業上の利用可能性を有している。
【符号の説明】
【００２５】
１０  イヤリング
１１  軸状本体部
１２  押圧固定部
１３  圧接部
１４  回動軸部
１５  筒状部
１６  底面部
１７  側面部
１８  孔部
１９  回動アーム部
２０  アーム本体部
２１  開口部
２２  被覆部
２３  耳たぶ押圧面部
２４  ネジアーム本体部
２５  つまみ板
２６  押圧板
２７  取付部    
３０  イヤリング
３１  軸状本体部
３２  押圧固定部
３３  圧接部
３４  回動軸部
３５  回動アーム部
３６  押圧面部
【図１】
0003180724.tif 000003
【図２】
0003180724.tif 000004
【図３】
0003180724.tif 000005